(57)【特許請求の範囲】
【請求項１】
無線ユーザエンドポイントに無線通信サービスを提供するために通信機を選択する方法であって、前記通信機はグループに編成され、前記方法は、
前記通信機が、通信チャネルに関連付けられた各グループに固有のチャネル参照信号を送信するステップと、
前記無線ユーザエンドポイントが、複数の異なる前記チャネル参照信号を受信し、受信した前記チャネル参照信号に基づき決定した１又は複数のチャネル特性を用いて、通信チャネルを推定し、第１の通信チャネルを選択し、前記第１の通信チャネルの前記１又は複数のチャネル特性に基づき第１の参照信号を生成して送信するステップと、
前記通信機が、前記第１の参照信号を受信し、自身の属する第１のグループに関連付けられた制御ユニットへ送信するステップと、
前記制御ユニットが、前記第１の参照信号が前記第１のグループに対応する場合、前記第１の参照信号に基づき、前記無線ユーザエンドポイントと前記第１のグループに属する複数の通信機との間の少なくとも１つの通信チャネルの少なくとも１つの特性を決定するステップと、
前記制御ユニットが、前記少なくとも１つの通信チャネルの前記少なくとも１つの特性に基づき、前記無線ユーザエンドポイントに無線通信サービスを提供するために、前記第１のグループに属する複数の通信機の中から少なくとも１つの通信機を選択するステップと、
を有する方法。
【請求項２】
前記第１の参照信号は第２のグループに属する複数の通信機に関連付けられていないことを決定するステップと、
前記第１の参照信号が前記第２のグループに属する複数の通信機に関連付けられていないことに基づき、前記第２のグループに属する複数の通信機により受信されたときに前記第１の参照信号を無視するステップと、
を更に有する請求項１に記載の方法。
【請求項３】
前記第１の参照信号は、前記第１のグループに属する複数の通信機に関連付けられたグループ識別子（グループＩＤ）に関連付けられ、前記第１の参照信号は前記第２のグループに属する複数の通信機に関連付けられていないことを決定するステップは、前記グループＩＤに基づく、請求項２に記載の方法。
【請求項４】
前記第１の参照信号は前記第１のグループに属する複数の通信機に関連付けられていることを決定するステップと、
前記第１のグループに属する複数の通信機に関連付けられた前記第１の参照信号に基づき、前記少なくとも１つの通信チャネルの前記少なくとも１つの特性を決定するステップと、
を更に有する請求項１に記載の方法。
【請求項５】
前記第１の参照信号は、前記第１のグループに属する複数の通信機に関連付けられたグループ識別子（グループＩＤ）に関連付けられ、前記第１の参照信号は前記第１のグループに属する複数の通信機に関連付けられていることを決定するステップは、前記グループＩＤに基づく、請求項４に記載の方法。
【請求項６】
前記第１の参照信号を生成して送信するステップは、前記無線ユーザエンドポイントのバッテリ状態に基づき、前記第１の参照信号の反復レートを調整するステップを更に有する、請求項１に記載の方法。
【請求項７】
前記第１の参照信号を生成して送信するステップは、前記無線ユーザエンドポイントの速度に基づき、前記第１の参照信号の反復レートを調整するステップを更に有する、請求項１に記載の方法。
【請求項８】
前記第１の参照信号に基づき決定した前記少なくとも１つの通信チャネルの少なくとも１つの特性は、前記無線ユーザエンドポイントの場所を有し、前記少なくとも１つの通信機を選択するステップは、前記場所に基づき、前記第１のグループに属する複数の通信機の中から少なくとも１つの通信機を選択する、請求項１に記載の方法。
【請求項９】
前記第１の参照信号を生成して送信するステップは、前記無線ユーザエンドポイントに関連付けられたユニークな識別子に更に基づき、前記第１の参照信号を生成し、
前記方法は、
前記制御ユニットが、前記第１の参照信号から得た前記ユニークな識別子に基づき、異なる無線ユーザエンドポイントにより生成された前記第１の参照信号を区別するステップ、
を更に有する請求項１に記載の方法。
【請求項１０】
前記第１の参照信号を生成して送信するステップは、前記無線ユーザエンドポイントに関連付けられたユニークな参照信号パターンに更に基づき、前記第１の参照信号を生成し、
前記方法は、
前記制御ユニットが、前記第１の参照信号から得た前記ユニークな参照信号パターンに基づき、異なる無線ユーザエンドポイントにより生成された前記第１の参照信号を区別するステップ、
を更に有する請求項１に記載の方法。
【請求項１１】
第１の通信チャネルに関連付けられた第１のグループに固有のチャネル参照信号を送信し、無線ユーザエンドポイントにより生成された第１の参照信号を受信するよう構成される第１のグループに属する複数の通信機であって、前記第１の参照信号は、前記無線ユーザエンドポイントにより、チャネル参照信号に基づき決定された１又は複数のチャネル特性を用いて生成される、通信機と、
前記第１のグループに属する複数の通信機に通信可能に結合された第１の制御ユニットと、
を有し、前記第１の制御ユニットは、
前記第１の参照信号が前記第１のグループに対応する場合、前記第１の参照信号に基づき、前記無線ユーザエンドポイントと前記第１のグループに属する複数の通信機との間の少なくとも１つの通信チャネルの少なくとも１つの特性を決定し、
前記少なくとも１つの通信チャネルの前記少なくとも１つの特性を分析し、
前記少なくとも１つの通信チャネルの前記少なくとも１つの特性に基づき、前記無線ユーザエンドポイントに無線通信サービスを提供するために前記第１のグループに属する複数の通信機の中から少なくとも１つの通信機を選択する、
よう構成される、分散型アンテナシステム。
【請求項１２】
前記無線ユーザエンドポイントにより生成された前記第１の参照信号を受信するよう構成される第２のグループに属する複数の通信機と、
前記第２のグループに属する複数の通信機に通信可能に結合された第２の制御ユニットであって、前記第１の参照信号が前記第２のグループに属する複数の通信機に関連付けられていないことの決定に基づき、前記第２のグループに属する複数の通信機により受信されたときに前記第１の参照信号を無視するよう構成される、第２の制御ユニットと、
を更に有する請求項１１に記載の分散型アンテナシステム。
【請求項１３】
前記第１の参照信号は、前記第１のグループに属する複数の通信機に関連付けられたグループ識別子（グループＩＤ）に関連付けられ、前記第１の参照信号は第２のグループに属する複数の通信機に関連付けられていないことの決定は、前記グループＩＤに基づく、請求項１２に記載の分散型アンテナシステム。
【請求項１４】
前記第１の制御ユニットは、前記第１の参照信号が前記第１のグループに属する複数の通信機に関連付けられていることの決定に基づき、前記少なくとも１つの通信チャネルの前記少なくとも１つの特性を決定するよう更に構成される、請求項１１に記載の分散型アンテナシステム。
【請求項１５】
前記第１の参照信号は、前記第１のグループに属する複数の通信機に関連付けられたグループ識別子（グループＩＤ）に関連付けられ、前記第１の参照信号が第１のグループに属する複数の通信機に関連付けられていることの決定は、前記グループＩＤに基づく、請求項１４に記載の分散型アンテナシステム。
【請求項１６】
前記第１の参照信号の反復レートは、前記無線ユーザエンドポイントにより、前記無線ユーザエンドポイントのバッテリ状態に基づき調整される、請求項１１に記載の分散型アンテナシステム。
【請求項１７】
前記第１の参照信号の反復レートは、前記無線ユーザエンドポイントにより、前記無線ユーザエンドポイントの速度に基づき調整される、請求項１１に記載の分散型アンテナシステム。
【請求項１８】
前記第１の参照信号に基づき決定した前記少なくとも１つの通信チャネルの少なくとも１つの特性は、前記無線ユーザエンドポイントの場所を有し、前記第１の制御ユニットは、前記場所に基づき、前記第１のグループに属する複数の通信機の中から少なくとも１つの通信機を選択するよう更に構成される、請求項１１に記載の分散型アンテナシステム。
【請求項１９】
前記第１の参照信号は、前記無線ユーザエンドポイントにより、前記無線ユーザエンドポイントに関連付けられたユニークな識別子に更に基づき生成され、
前記第１の制御ユニットは、前記第１の参照信号から得た前記ユニークな識別子に基づき、異なる無線ユーザエンドポイントにより生成された前記第１の参照信号を区別する、
請求項１１に記載の分散型アンテナシステム。
【請求項２０】
前記第１の参照信号は、前記無線ユーザエンドポイントにより、前記無線ユーザエンドポイントに関連付けられたユニークな参照信号パターンに更に基づき生成され、
前記第１の制御ユニットは、前記第１の参照信号から得た前記ユニークな参照信号パターンに基づき、異なる無線ユーザエンドポイントにより生成された前記第１の参照信号を区別する、
請求項１１に記載の分散型アンテナシステム。
【発明の詳細な説明】
【技術分野】
【０００１】
本発明は、概して通信ネットワークに関し、より詳細には、無線通信ネットワーク内のユーザ機器参照信号に関する。
【背景技術】
【０００２】
分散型アンテナシステムは、次世代無線ネットワークにおいて益々一般的になりつつある。分散型アンテナシステムは、制御ユニット（例えば、無線エレメント（Radio  Element）制御又はベースバンドユニット）と、対応する制御ユニットにより制御される１又は複数の通信機（例えば、無線エレメント又はＲＲＨ（Remote  Radio  Head））とを含む１又は複数のサブシステムを有し得る。各サブシステム内では、通信機は、異なる場所に分散されると同時に有線接続（例えば、光ファイバ）を介して関連する制御ユニットに接続されている。有線接続を介して、制御ユニットは協調して、１又は複数の通信機により該通信機の範囲内で無線ユーザエンドポイントに無線通信サービスを提供しても良い。さらに、サブシステムの制御ユニットは、互いに通信して協調し、無線ユーザエンドポイントに無線通信サービスを提供しても良い。したがって、制御ユニット及び通信機のこのウェブは、分散型アンテナシステム内に位置する無線ユーザエンドポイントに無線通信サービスを提供するために連帯して協力し合う。
【０００３】
分散型アンテナシステムは、無線通信ネットワークの容量を大いに増大できる。しかしながら、無線ユーザエンドポイント及び通信機との通信を実現する際に用いられる従来のシステム及び方法は、分散型アンテナシステムと共に用いられるとき、非効率をもたらし得る。
【発明の概要】
【発明が解決しようとする課題】
【０００４】
本開示は、無線ユーザエンドポイントに無線通信サービスを提供するために通信機を選択するシステム及び方法を提供する。
【課題を解決するための手段】
【０００５】
本開示の１又は複数の実施形態によると、無線ユーザエンドポイントに無線通信サービスを提供するために通信機を選択する方法は、無線ユーザエンドポイントと第１の複数の通信機との間の少なくとも１つの通信チャネルの少なくとも１つの特性を決定するステップ、を有する。少なくとも１つの特性の決定は、第１の複数の通信機により受信されるために無線ユーザエンドポイントにより生成された参照信号に基づく。方法は、少なくとも１つの通信チャネルの少なくとも１つの特性を分析するステップ、を更に有する。方法は、無線ユーザエンドポイントに無線通信サービスを提供するために第１の複数の通信機の中から少なくとも１つの通信機を選択するステップを更に有する。少なくとも１つの通信機の選択は、少なくとも１つの通信チャネルの少なくとも１つの特性に基づく。
【０００６】
本発明の目的及び利点が理解され、特に特許請求の範囲で指摘された要素及び組合せを用いて達成されるだろう。上述の全体的説明及び以下の詳細な説明の両方は、例示及び説明のためであり、本発明の範囲を限定しないことが理解される。
【図面の簡単な説明】
【０００７】
本開示の実施形態は、例として用いられ、限定ではない。
【図１】本開示の幾つかの実施形態による分散型アンテナシステムを示す。
【図２】本開示の幾つかの実施形態による図１の種々の構成要素の動作を実現し得るコンピューティングシステムのブロック図を示す。
【図３】本開示の幾つかの実施形態による、無線ユーザエンドポイントに無線通信サービスを提供するために通信機を選択する例示的な方法を示す。
【発明を実施するための形態】
【０００８】
図１は、複数の制御ユニット１１０と、分散型アンテナシステム１００内に位置する１又は複数の無線ユーザエンドポイント１４０に無線通信サービスを提供するよう構成される通信機１２０と、を有する分散型アンテナシステム１００を示す。本開示の一実施形態によると、制御ユニット１１０、通信機１２０、及びユーザエンドポイント１４０は、無線ユーザエンドポイント１４０の近くの複数の通信機１２０が通信機１２０の「サービスクラスタ」に動的に編成され無線ユーザエンドポイント１４０に無線サービスを提供できるように、構成されても良い。「サービスクラスタ」は、無線ユーザエンドポイント１４０により生成され送信される参照信号に基づいても良い。したがって、サービスクラスタは、無線ユーザエンドポイント１４０の周囲に動的に構成されるセルとして動作しても良い。後述のように、このような構成は、無線通信サービスが分散型アンテナシステム１００により無線ユーザエンドポイント１４０に提供されるとき、該無線通信サービスを向上し且つより効率的にできる。
【０００９】
分散型アンテナシステム１００は、地理的領域に渡り、制御ユニット１１０及び通信機１２０を介して、任意の適切な数の無線ユーザエンドポイント１４０に無線通信サービスを提供しても良い。例えば、分散型アンテナシステム１００は、ビル全体、街区、キャンパス、又は任意の他の適用可能な地理的領域に無線カバレッジを提供するために用いられても良い。
【００１０】
分散型アンテナシステム１００は、１又は複数のサブシステム１０２を有しても良い。例えば、図示の実施形態では、分散型アンテナシステム１００は、サブシステム１０２ａ及び１０２ｂを有しても良いが、これに限定されない。サブシステム１０２ａ及び１０２ｂは、それぞれ制御ユニット１１０ａ及び１１０ｂを有しても良い。サブシステム１０２ａ及び１０２ｂは、それぞれ、対応する制御ユニット１１０に有線（例えば、光ファイバ）接続１０４を介して接続される複数の通信機１２０を有しても良い。各制御ユニット１１０は、無線ユーザエンドポイント１４０を有するサブネットワーク１０２内で通信機１２０による無線通信を調整するために、該制御ユニット１１０の対応する通信機１２０と有線接続１０４を介して通信しても良い。例えば、幾つかの実施形態では、制御ユニット１１０ａは、無線ユーザエンドポイント１４０ａと通信機１２０ａ、１２０ｂ、１２０ｃとの間の通信を調整するために、サブネットワーク１０２ａの通信機１２０ａ、１２０ｂ、１２０ｃと有線接続１０４ａを介して通信しても良い。制御ユニット１１０は、任意の適切な有線技術又はプロトコル（例えばＣＰＲＩ（Common  Public  Radio  Interface））を用いて、該制御ユニット１１０の対応する通信機１２０と通信しても良い。
【００１１】
さらに、制御ユニット１１０は、分散型アンテナシステム１００と１又は複数の無線ユーザエンドポイント１４０との間の通信を実現するために、有線接続（例えば、光ファイバ）を介して結合されても良い。例えば、制御ユニット１１０ａ及び１１０ｂは、有線接続１０６を介して接続されても良い。したがって、制御ユニット１１０ａ及び１１０ｂは、無線ユーザエンドポイント１４０があるサブネットワーク１０２から別のサブネットワーク１０２へと移動するとき、無線通信サービスのハンドオフを調整するために通信しても良い。例として、無線ユーザエンドポイント１４０ｂは、サブネットワーク１０２ａからサブネットワーク１０２ｂへ移動しても良い。したがって、制御ユニット１１０ａ及び１１０ｂは、無線ユーザエンドポイント１４０ｂに無線通信サービスを提供するサブネットワーク１０２ａから無線ユーザエンドポイント１４０ｂに無線通信サービスを提供するサブネットワーク１０２ｂへのハンドオフを調整するために、互いに有線接続１０６を介して通信しても良い。
【００１２】
同一の又は代替の実施形態では、制御ユニット１１０は、無線ユーザエンドポイント１４０と異なるサブネットワークの通信機との間の共同通信を調整するために互いに通信しても良い。例えば、制御ユニット１１０ａ及び１１０ｂは、無線ユーザエンドポイント１４０ｂと（サブネットワーク１０２ａの）通信機１２０ｄ、（サブネットワーク１０２ｂの）１２０ｅ、及び（サブネットワーク１０２ｂの）１２０ｆとの間の共同通信を調整するために、有線接続１０６を介して通信しても良い。制御ユニット１１０は、任意の適切な有線技術又はプロトコル（例えばＣＰＲＩ）を用いて互いに通信しても良い。
【００１３】
制御ユニット１１０は、ハードウェア、コンピュータ可読媒体に埋め込まれたソフトウェア、及び／又は分散型アンテナシステム１００内でパケットを有線若しくは無線で交換できる任意の数の通信プロトコルを実装するハードウェアに組み込まれた若しくは他の格納されたエンコードされたロジック、の任意の組合せを有しても良い。例として且つ限定ではなく、制御ユニット１１０は、無線エレメント制御又はベースバンドユニットであっても良い。上述のように、制御ユニット１１０は、１又は複数の通信機１２０の１又は複数の無線ユーザエンドポイント１４０との無線通信を調整し制御するよう構成されても良い。制御ユニット１１０は、通信機１２０と同じ場所にあっても良く、又は通信機１２０と離れた場所にあっても良い。
【００１４】
図示の実施形態では、制御ユニット１１０は、有線接続１０４及び１又は複数の通信機１２０の１又は複数のアンテナポート１１６を介して、無線ユーザエンドポイント１４０と１又は複数の通信機１２０との間の通信を指揮する。例えば、制御ユニット１１０ａは、無線ユーザエンドポイント１４０ａ宛のデータを、有線接続１０４ａを通じて通信機１２０ａ、１２０ｂ、１２０ｃへ送信しても良い。次に、通信機１２０ａ、１２０ｂ、１２０ｃは、通信機１２０ａ、１２０ｂ、１２０ｃの１又は複数のアンテナポート１１６と無線ユーザエンドポイント１４０の１又は複数のアンテナポート１１８との間の１又は複数の無線接続を介して、データを無線ユーザエンドポイント１４０ａへ送信しても良い。
【００１５】
別の例として、無線ユーザエンドポイント１４０ａからのデータは、無線ユーザエンドポイント１４０ａと１又は複数のアンテナポート１１６との間の１又は複数の無線接続を通じて、通信機１２０ａ、１２０ｂ、１２０ｃにより受信されても良い。次に、データは、有線接続１０４ａを通じて、通信機１２０ａ、１２０ｂ、１２０ｃにより、データを処理し得る制御ユニット１１０ａへ中継されても良い。制御ユニット１１０及び通信機１２０は、限定ではないがＯＦＤＭＡ（orthogonal  frequency  division  multiple  access）及び３ＧＰＰ（３rd  Generation  Partnership  Project）  Release  １０以降に定められたＬＴＥ−Ａ（long  term  evolution-advanced）プロトコルを含む種々の異なる無線技術のうちの任意のものを用いて無線ユーザエンドポイント１４０と通信しても良い。
【００１６】
図示の実施形態には示さないが、制御ユニット１１０は、無線ユーザエンドポイント１４０にサービス及びデータを提供するためにウェブページ、電子メール、ＶｏＩＰ（voice  over  IP）及びインスタントメッセージを通じて送信される信号、データ又はメッセージを含む信号、データ及び／又はメッセージを送信可能な任意のネットワーク又はネットワークの組合せに結合されても良い。例えば、制御ユニット１１０は、１又は複数のＬＡＮ、ＷＡＮ、ＭＡＮ、ＰＳＴＮ、ＷｉＭＡＸネットワーク、インターネットのような世界規模の分散型ネットワーク、又は他の形式の無線若しくは有線ネットワークに結合されても良い。
【００１７】
通信機１２０は、ハードウェア、コンピュータ可読媒体に埋め込まれたソフトウェア、及び／又は通信機１２０のアンテナポート１１６を介して無線ユーザエンドポイント１４０とパケットを有線若しくは無線で交換できる任意の数の通信プロトコルを実装するハードウェアに組み込まれた若しくは他の格納されたエンコードされたロジック、の任意の組合せを有しても良い。例えば、通信機１２０は、ＲＲＨ（Remote  Radio  Head）であっても良い。上述のように、通信機１２０は、限定ではなくＯＦＤＭＡ及びＬＴＥ−Ａプロトコルを含む種々の異なる無線技術のうちの任意のものを用いて無線ユーザエンドポイント１４０と通信しても良い。通信機１２０は、任意の適切な通信プロトコルを用いて、アンテナポート１１６を介して無線ユーザエンドポイント１４０へ制御信号及びデータトラフィックを無線で送信するよう構成されても良い。
【００１８】
無線ユーザエンドポイント１４０は、通信機１２０へ及び通信機１２０からデータ及び／又は信号を送信及び受信できる任意の種類の無線装置を有しても良い。種類のエンドポイント１４０の幾つかの例は、デスクトップコンピュータ、ＰＤＡ、携帯電話機、ラップトップ及び／又はＶｏＩＰ電話機を含むが、これらに限定されない。無線ユーザエンドポイント１４０は、ハードウェア、コンピュータ可読媒体に埋め込まれたソフトウェア、及び／又はハードウェアに組み込まれた若しくは他の格納されたエンコードされたロジック（例えば、ファームウェア）のうちの任意の組合せを通じて、ユーザにデータ又はネットワークサービスを提供しても良い。無線ユーザエンドポイント１４０は、無人の又は自動化されたシステム、ゲートウェイ、他の中間構成要素、或いはデータ及び／又は信号を送信又は受信し得る他の装置も有しても良い。
【００１９】
制御ユニット１１０及び通信機１２０は、任意の適切な通信方式を用いて無線ユーザエンドポイント１４０と通信しても良い。例えば、複数の物理アンテナポートを使用して無線ユーザエンドポイント１４０へデータストリームを通信するＭＩＭＯ（multiple  input/multiple  output）方式が用いられても良い。特定の実施形態では、制御ユニット１１０は、１又は複数の通信機１２０に設置された複数のアンテナポート１１６が無線ユーザエンドポイント１４０との通信に用いられるＤＬ  ＣｏＭＰ（down  link  coordinated  multi-processing）方式を利用しても良い。無線ユーザエンドポイント１４０は、複数の通信機１２０から受信した複数の信号を単一の通信に結合しても良い。同様に、ＵＬ  ＣｏＭＰ（up  link  coordinated  multi-processing）方式では、無線ユーザエンドポイント１４０は、複数の通信機１２０へ信号を送信しても良い。通信機１２０は、信号及び／又は信号に関連する情報を、通信機１２０に関連する制御ユニット１１０へ転送しても良い。制御ユニット１１０は、通信機１２０を介して無線ユーザエンドポイント１４０から受信した情報を解釈し処理しても良い。
【００２０】
種々の情報が、無線ユーザエンドポイント１４０へ又はそれから送信されても良い。幾つかの実施形態では、制御ユニット１１０は、それらの対応するサブネットワーク１０２のために制御メッセージを生成しても良く、該制御メッセージをそれらの対応するサブネットワーク１０２に含まれる通信機１２０へ接続１０４を介して送信しても良い。これらの制御メッセージは、サブシステム１０２の通信機１２０の各アンテナポート１１６により共同で送信されても良い。制御メッセージは、無線ユーザエンドポイント１４０が通信機１２０から送信された送信から関連するデータトラフィックを抽出できる情報（例えば、スケジューリング又は復調情報）を有しても良い。特定の実施形態では、これらの制御メッセージは、ＬＴＥ−Ａ標準に従う。例えば、制御メッセージは、ＰＳＳ（primary  synchronization  signal）、ＳＳＳ（secondary  synchronization  signal）、ＰＢＣＨ（physical  broadcast  channel）及び／又はＰＤＣＣＨ（physical  downlink  control  channel）参照信号のようなＣＲＳ（cell-specific  reference  signal）を有しても良い。
【００２１】
種々の他の信号が、制御ユニット１１０及び通信機１２０により通信されても良い。例えば、幾つかの実施形態では、通信機１２０の各アンテナポート１１６は、ＬＴＥ−Ａで定められるＣＳＩ−ＲＳ（channel  state  information  reference  signal）のような（制御ユニット１１０により指揮される）チャネル参照信号を送信しても良い。チャネル参照信号は、疑似ランダムシーケンスのような値のシーケンスを有しても良い。幾つかの実施形態では、複数の通信機１２０は、指定されたグループ識別子（グループＩＤ）を有するグループに編成されても良く、共通のグループＩＤに基づき同一の参照信号を生成し送信しても良い。同じ又は代替の実施形態では、サブネットワーク１０２の通信機１２０は１つのグループに編成されても良く、サブネットワーク１０２の全ての通信機１２０が同じグループＩＤを有し同じ参照信号を生成するようにしても良い。代替の実施形態では、サブネットワーク１０２の通信機１２０が１より多いグループに編成されても良く、及び／又は異なるサブネットワーク１０２の通信機１２０が同じグループに編成されても良い。
【００２２】
無線ユーザエンドポイント１４０は、１又は複数のチャネル参照信号を受信しても良く、無線ユーザエンドポイント１４０と１又は複数のチャネル参照信号を送信する１又は複数のアンテナポート１１６との間の１又は複数の関連する通信チャネルを「推定」しても良い。無線ユーザエンドポイント１４０は、チャネル参照信号に基づきチャネルの１又は複数の特性を決定することにより、通信チャネルを推定しても良い。例えば、無線ユーザエンドポイント１４０は、関連するチャネル参照信号の受信信号強度に基づき、チャネルを推定しても良い。
【００２３】
複数の通信機１２０が同じ参照信号を送信する実施形態では、無線ユーザエンドポイント１４０と同じ参照信号を送信する通信機１２０のグループとの間の総合的通信として、複合チャネルが推定されても良い。例えば、サブネットワーク１０２ａの通信機１２０は、同じグループに含まれ（したがって同じグループＩＤを有し）、それぞれ同じ参照信号を送信しても良い。したがって、無線ユーザエンドポイント１４０は、サブネットワーク１０２ａの各通信機１２０から同じ参照信号を受信しても良い。さらに、サブネットワーク１０２ｂの通信機１２０も、同じグループに含まれても良く（しかし、サブネットワーク１０２ａに関連するグループとは異なる）、サブネットワーク１０２ｂの各通信機１２０は、同じ参照信号を送信しても良い（しかし、サブネットワーク１０２ａに関連する参照信号とは異なる）。したがって、無線ユーザエンドポイント１４０ａは、サブネットワーク１０２ｂの各通信機１２０から同じ参照信号を受信しても良い。したがって、無線ユーザエンドポイント１４０は、サブネットワーク１０２ａについてある総合チャネル（Ｈ１０２ａ）を推定しても良く、サブネットワーク１０２ｂについて異なる総合チャネル（Ｈ１０２ｂ）を推定しても良い。
【００２４】
チャネルを推定した後、無線ユーザエンドポイント１４０は、チャネル推定により示されたチャネル品質（例えば、強度）に基づき通信すべきチャネルを選択しても良い。例えば、上述のように、無線ユーザエンドポイント１４０ａは、サブネットワーク１０２ａについてある総合チャネル（Ｈ１０２ａ）を推定しても良く、サブネットワーク１０２ｂについて異なる総合チャネル（Ｈ１０２ｂ）を推定しても良い。例えば図示の実施形態では無線ユーザエンドポイント１４０ａがサブグループ１０２ａ内に位置するので、チャネル推定は、チャネルＨ１０２ａがチャネルＨ１０２ｂより強いと示しても良い。したがって、無線ユーザエンドポイント１４０ａは、無線通信のためにチャネルＨ１０２ａ（したがって、サブネットワーク１０２ａ）を選択しても良い。
【００２５】
本開示の幾つかの実施形態によると、無線ユーザエンドポイント１４０は、選択したチャネルのグループＩＤに基づき参照信号を生成するよう構成されても良い。例えば、通信のためにチャネルＨ１０２ａを選択した後、無線ユーザエンドポイント１４０ａは、サブネットワーク１０２ａのグループＩＤに基づき参照信号を生成しても良い。幾つかの実施形態では、グループＩＤは、通信機１２０により送信された参照信号内にエンコードされても良い。無線ユーザエンドポイント１４０のための参照信号は、グループＩＤに基づき生成されても良い。それにより、参照信号は、該グループＩＤに関連するグループ内で識別され、該グループＩＤに関連するグループの外部では無視される。例えば、無線ユーザエンドポイント１４０ａによりサブネットワーク１０２ａのグループＩＤを用いて生成された参照信号は、参照信号がサブネットワーク１０２ａの制御ユニット１１０ａ及び／又は通信機１２０により認識され処理されるが、参照信号がサブネットワーク１０２ｂの制御ユニット１１０ｂ及び／又は通信機１２０により認識されず処理されないようにされても良い。
【００２６】
任意の適切な方法又は方式が、参照信号があるグループ内で認識され処理されるが別のグループでは認識されず処理されないように、グループＩＤに基づき参照信号を生成するために用いられても良い。例えば、グループＩＤは、エラーチェックサムを含む参照信号内の１６ビットシーケンスを生成するために用いられても良い。エラーチェックサムは、あるグループＩＤに関連付けられた通信機１２０及び／又は制御ユニット１１０により認識され、異なるグループＩＤに関連付けられた通信機１２０及び／又は制御ユニット１１０により無視されても良い。
【００２７】
本開示の１又は複数の実施形態では、１又は複数の通信機１２０は、無線ユーザエンドポイント１４０により生成された参照信号を受信しても良く、受信した参照信号を該通信機１２０に関連する制御ユニット１１０へ転送しても良い。任意の適切なシステム、方法又は装置（例えば、エラーチェックサム機能）を用いて、参照信号が制御ユニット１１０の関連付けられたグループＩＤに対応しない場合、制御ユニット１１０は、参照信号を無視しても良い。代替で、参照信号が制御ユニット１１０の関連付けられたグループＩＤに対応する場合、制御ユニット１１０は、無線ユーザエンドポイント１４０から受信した参照信号に基づき、１又は複数の通信機１２０と無線ユーザエンドポイント１４０との間の１又は複数のチャネル推定を実行しても良い。次に、制御ユニット１１０は、チャネル推定に基づき、通信機１２０のグループのうちのどの通信機１２０が無線ユーザエンドポイント１４０に無線通信サービスを提供できるかを決定しても良い。さらに、多くの場合に、チャネル推定は、無線ユーザエンドポイント１４０の場所を示しても良い。したがって、制御ユニット１１０は、推定に基づき、無線ユーザエンドポイント１４０の場所を決定できる。したがって、制御ユニット１１０は、追加で又は代替で、無線ユーザエンドポイント１４０の場所に基づき、どの通信機１２０が無線ユーザエンドポイント１４０に無線通信サービスを提供できるかを決定しても良い。したがって、制御ユニット１１０は、無線ユーザエンドポイント１４０により生成された参照信号に基づき、無線ユーザエンドポイント１４０に無線カバレッジを提供し得る通信機１２０のサービスクラスタを動的に編成しても良い。
【００２８】
例えば、サブネットワーク１０２ａ及び１０２ｂの１又は複数の通信機１２０は、無線ユーザエンドポイント１４０により生成された参照信号を受信しても良い。通信機１２０は、参照信号を該通信機１２０の対応する制御ユニット１１０（例えば、制御ユニット１１０ａ及び１１０ｂ）に転送しても良い。制御ユニット１１０ｂは、参照信号がサブネットワーク１０２ａのグループＩＤに対応するがサブネットワーク１０２ｂのグループＩＤには対応しないので、無線ユーザエンドポイント１４０により生成された参照信号を無視しても良い。反対に、無線ユーザエンドポイント１４０ａにより生成された参照信号がサブネットワーク１０２ａのグループＩＤに対応するので、制御ユニット１１０ａは、無線ユーザエンドポイント１４０ａとサブネットワーク１０２ａの１又は複数の通信機１２０との間のチャネルを推定しても良い。
【００２９】
チャネル推定に基づき、制御ユニット１１０は、どの通信機１２０が無線ユーザエンドポイント１４０に無線通信サービスを提供し得るかを決定しても良い。例えば、制御ユニット１１０ａにより実行されるチャネル推定は、通信機１２０ａ、１２０ｂ、１２０ｃが適切に及び効率的に無線通信サービスを無線ユーザエンドポイント１４０ａに提供し得ると示しても良い。したがって、制御ユニット１１０は、推定したチャネルに基づき無線ユーザエンドポイント１４０ａに無線通信サービスを提供するために、通信機１２０ａ、１２０ｂ、１２０ｃを選択しても良い。
【００３０】
上述のように、多くの場合には、チャネル推定は、無線ユーザエンドポイント１４０の通信機１２０に対する場所に基づくので、より強いチャネルが無線ユーザエンドポイント１４０の最も近くにある通信機１２０に関連付けられ得る。したがって、無線ユーザエンドポイント１４０により生成された参照信号は、無線ユーザエンドポイント１４０の場所を決定するためにも、制御ユニット１１０により用いられても良い。
【００３１】
無線ユーザエンドポイント１４０は、グループＩＤに加えて種々の因子に基づき参照信号を構成し生成しても良い。例えば、無線ユーザエンドポイント１４０は、無線ユーザエンドポイント１４０に関連付けられたユニークな識別子に基づき参照信号を生成しても良い。したがって、参照信号を処理する制御ユニット１１０は、異なる無線ユーザエンドポイント１４０により生成された参照信号を区別できる。同じ又は代替の実施形態では、無線ユーザエンドポイント１４０は、ユニークな参照信号パターン（例えば、時間、周波数及び／又はコードシーケンス）を生成するよう構成されても良い。それにより、無線ユーザエンドポイント１４０は、該無線ユーザエンドポイント１４０のユニークな参照信号パターンに基づき識別され得る。無線ユーザエンドポイント１４０は、無線ユーザエンドポイント１４０のアンテナ構成、サービスクラスタ内の通信機の周波数帯、及び／又は利用可能送信帯域幅にも基づき参照信号を生成しても良い。
【００３２】
また、無線ユーザエンドポイント１４０は、無線ユーザエンドポイント１４０のトラフィックデータパターンに基づき参照信号を生成し送信しても良い。例えば、無線ユーザエンドポイント１４０がアップリンクトラフィックを通信していない場合、無線ユーザエンドポイント１４０は、自身の場所に関する更新（ロケーションアップデート）を提供する方法として、参照信号を生成し送信しても良い。幾つかの実施形態では、ロケーションアップデートを送信しているとき、無線ユーザエンドポイント１４０は参照信号の一部のみを送信しても良く、通信機１２０のサービングクラスタは、ロケーションアップデート参照信号を受信すると、無線ユーザエンドポイント１４０へ肯定応答（ＡＣＫ）を送信しても良い。このような構成は、無線ユーザエンドポイント１４０がロケーションアップデートのためのランダムアクセス手順を実行することなく、ロケーションアップデートを可能にできる。
【００３３】
さらに、無線ユーザエンドポイント１４０は、無線ユーザエンドポイント１４０のバッテリ充電に基づき、参照信号の反復レートを調整しても良い。例えば、無線ユーザエンドポイント１４０のバッテリが枯渇しそうな場合、無線ユーザエンドポイント１４０は、電力消費を低減するために、自身が参照信号を生成し送信する頻度を低減しても良い。反対に、バッテリがほぼ完全に充電されている場合、無線ユーザエンドポイント１４０は、より頻繁に参照信号を生成し送信しても良い。
【００３４】
さらに、無線ユーザエンドポイント１４０は、無線ユーザエンドポイント１４０の速度に基づき参照信号の反復レートを調整し、無線ユーザエンドポイント１４０の適切な場所監視を可能にし、したがってサービスクラスタ内の変化を許容しても良い。例えば、無線ユーザエンドポイント１４０が静止している場合、無線ユーザエンドポイント１４０の場所は変化していないので、参照信号の送信と送信の間の遅延は増大されても良い。したがって、制御ユニット１１０は、無線ユーザエンドポイント１４０に無線サービスを提供している通信機１２０のサービスクラスタ内で変更を行う必要がない。反対に、無線ユーザエンドポイント１４０が移動している場合、無線ユーザエンドポイント１４０は、参照信号をより頻繁に送信して、より頻繁にチャネル推定を提供し、したがって無線ユーザエンドポイント１４０の場所に関する正確な更新を提供しても良い。したがって、制御ユニット１１０は、どの通信機１２０が無線ユーザエンドポイント１４０に無線通信サービスを提供し得るかをより正確に決定し変更できる。
【００３５】
したがって、本開示の１又は複数の実施形態によると、無線ユーザエンドポイント１４０は、個々のグループに関連付けられた参照信号に基づき、通信機１２０のグループに対して全体的なチャネル推定を実行しても良い。全体的なチャネル推定に基づき、無線ユーザエンドポイント１４０は、無線ユーザエンドポイント１４０に無線通信サービスを提供し得る通信機１２０の全体的グループを選択しても良い。しかし、制御ユニット１１０は、無線ユーザエンドポイント１４０により生成された参照信号に基づき、全体的なグループの中でどの通信機１２０が無線ユーザエンドポイント１４０に無線通信サービスを提供し得るかを選択しても良い。したがって、チャネル推定、及び無線ユーザエンドポイント１４０に無線通信サービスを提供し得る通信機１２０の選択の大部分は、無線ユーザエンドポイント側ではなく、ネットワーク側による。この構成は、無線ユーザエンドポイント１４０が異なる通信機１２０に関連付けられた多くの個々のチャネル推定を実行する必要がないので、無線ユーザエンドポイント１４０による電力消費を低減できる。このような構成は、高密度に分散された通信機１２０を有する分散型アンテナネットワークで特に有利である。
【００３６】
本開示の範囲から逸脱することなく分散型アンテナシステム１００に対し変更、追加又は省略が行われてもよい。例えば、サブネットワーク１０２、各サブネットワークに含まれる制御ユニット１１０及び通信機１２０の数は変化しても良い。さらに、グループＩＤを有する通信機１２０及び制御ユニット１１０のグループの編成は、変化しても良い。さらに、幾つかの実施形態では、制御ユニット１１０は、通信機１２０内に又は通信機１２０とは別個に設置されても良い。
【００３７】
図２は、図１の種々の構成要素の動作を実現し得る例示的なコンピューティングシステムを示す。図２は、例示的な通信機１２０、制御ユニット１１０及び無線ユーザエンドポイント１４０を有する例示的なアンテナシステム２００を有する。アンテナシステム２００は、図１のアンテナシステムの少なくとも一部に対応しても良い。通信機１２０、制御ユニット１１０及び無線ユーザエンドポイント１４０は、それぞれ、１又は複数のコンピュータシステムの１又は複数の部分を有しても良い。特定の実施形態では、１又は複数のこれらのコンピュータシステムは、本願明細書に記載又は説明される１又は複数の方法の１又は複数のステップを実行しても良い。特定の実施形態では、１又は複数のコンピュータシステムは、本願明細書に記載又は説明された機能を提供しても良い。特定の実施形態では、１又は複数のコンピュータシステムで実行するエンコードされたソフトウェアは、本願明細書に記載又は説明された１又は複数の方法の１又は複数のステップを実行するか、本願明細書に記載又は説明された機能を提供する。
【００３８】
通信機１２０、制御ユニット１１０及び無線ユーザエンドポイント１４０の構成要素は、任意の適切な物理的形態、構成、数、種類及び／又はレイアウトを有しても良い。一例として且つ限定的でなく、通信機１２０、制御ユニット１１０及び／又は無線ユーザエンドポイント１４０は、組み込み型コンピュータシステム、システムオンチップ（ＳＯＣ）、（例えば、コンピュータオンモジュール（ＣＯＭ）又はシステムオンモジュール（ＳＯＭ）のような）単一基板コンピュータシステム（ＳＢＣ）、デスクトップコンピュータシステム、ラップトップ又はノートブックコンピュータシステム、対話型キオスク、メインフレーム、コンピュータシステムのメッシュ、携帯電話機、パーソナルデジタルアシスタント（ＰＤＡ）、サーバ又はこれらの２以上の任意の組み合わせであっても良い。適切な場合には、通信機１２０、制御ユニット１１０及び／又は無線ユーザエンドポイント１４０は、１又は複数のコンピュータシステムを有し、中央集中型若しくは分散型であって良く、複数の場所に渡って良く、複数の装置に渡ってよく、１又は複数のネットワーク内の１又は複数のクラウドコンポーネントを有するクラウドの中に存在しても良い。
【００３９】
図示の実施形態では、通信機１２０、制御ユニット１１０及び無線ユーザエンドポイント１４０は、それぞれ、それら自身の対応するプロセッサ２１１、２２１、２３１、メモリ２１３、２２３、２３３、記憶装置２１５、２２５、２３５、インタフェース２１７、２２７、２３７、及びバス２１２、２２２、２３２を有する。特定のアンテナシステムが特定の数の特定の構成要素を特定の構成で有するように示されたが、本開示は、任意の適切な数の任意の適切な構成要素を任意の適切な構成で有する任意の適切なアンテナシステム２００も包含する。簡単のため、通信機１２０、制御ユニット１１０及び無線ユーザエンドポイント１４０の同様の構成要素が一緒に議論される。しかしながら、これらの装置が同じ構成要素又は同じ種類の構成要素を有する必要はない。例えば、プロセッサ２１１は汎用マイクロプロセッサであっても良く、プロセッサ２３１は特定用途集積回路（ＡＳＩＣ）であっても良い。
【００４０】
プロセッサ２１１、２２１、２３１は、独立して又は他の構成要素（例えば、それぞれメモリ２１３、２２３、２３３）と関連して無線ネットワーク機能を提供するよう動作するマイクロプロセッサ、制御部又は任意の他の適切なコンピューティング装置、リソース又はハードウェア、ソフトウェア及び／若しくはエンコードされたロジックであっても良い。このような機能は、図１に関して本願明細書で議論した通信機１２０、制御ユニット１１０及び無線ユーザエンドポイント１４０の種々の動作の実行を含み得る。
【００４１】
特定の実施形態では、プロセッサ２１１、２２１、２３１は、コンピュータプログラムを構成するような命令を実行するハードウェアを含み得る。例として且つ限定ではなく、命令を実行するために、それぞれ、プロセッサ２１１、２２１、２３１は、内部レジスタ、内部キャッシュ、メモリ２１３、２２３、２３３、又は記憶装置２１５、２２５、２３５から命令を読み出し（又はフェッチし）、それらをデコードして実行し、次に内部レジスタ、内部キャッシュ、それぞれメモリ２１３、２２３、２３３、又はそれぞれ記憶装置２１５、２２５、２３５に１又は複数の結果を書き込んでも良い。
【００４２】
特定の実施形態では、プロセッサ２１１、２２１、２３１は、データ、命令又はアドレスのための１又は複数の内部キャッシュを有してもよい。本開示は、適切な場合には任意の適切な数の任意の適切な内部キャッシュを有するプロセッサ２１１、２２１、２３１も包含する。例として且つ限定ではなく、プロセッサ２１１、２２１、２３１は、１又は複数の命令キャッシュ、１又は複数のデータキャッシュ、１又は複数のＴＬＢ（translation  lookaside  buffers）を有しても良い。命令キャッシュ内の命令は、それぞれメモリ２１３、２２３、２３３又はそれぞれ記憶装置２１５、２２５、２３５内の命令のコピーであり、命令キャッシュは、それぞれプロセッサ２１１、２２１、２３１によるこれらの命令の読み出しを高速化できる。データキャッシュ内のデータは、それぞれプロセッサ２１１、２２１、２３１で実行する命令のためのそれぞれメモリ２１３、２２３、２３３又はそれぞれ記憶装置２１５、２２５、２３５内の操作すべきデータのコピー、プロセッサ２１１、２２１、２３１で実行される後続の命令によりアクセスするための又はそれぞれメモリ２１３、２２３、２３３若しくはそれぞれ記憶装置２１５、２２５、２３５に書き込むためのプロセッサ２１１、２２１、２３１で実行された前の命令の結果、或いは他の適切なデータであっても良い。データキャッシュは、プロセッサ２１１、２２１、２３１によるリード又はライト動作を高速化できる。ＴＬＢは、プロセッサ２１１、２２１、２３１のための仮想アドレス変換を高速化できる。特定の実施形態では、プロセッサ２１１、２２１、２３１は、データ、命令又はアドレスのための１又は複数の内部レジスタを有してもよい。実施形態に依存して、プロセッサ２１１、２２１、２３１は、適切な場合には任意の適切な数の任意の適切な内部レジスタを有しても良い。適切な場合には、プロセッサ２１１、２２１、２３１は、１又は複数のＡＬＵ（arithmetic  logic  unit）を有してもよく、マルチコアプロセッサであってもよく、又は１又は複数のプロセッサ２１１、又は任意の他の適切なプロセッサを有しても良い。
【００４３】
メモリ２１３、２２３、２３３は、磁気媒体、光学媒体、ＲＡＭ（Random  Access  Memory）、ＲＯＭ（Read  Only  Memory）、フラッシュメモリ、リムーバブル媒体又は任意の他の適切な１又は複数のローカル若しくはリモートメモリ構成要素を含む揮発性若しくは不揮発性メモリの任意の形態であっても良い。特定の実施形態では、メモリ２１３、２２３、２３３は、ＲＡＭ（random  access  memory）を含む。このＲＡＭは、適切な場合には揮発性メモリであってもよい。適切な場合には、このＲＡＭはＤＲＡＭ（dynamic  RAM）又はＳＲＡＭ（static  RAM）であってもよい。さらに、適切な場合には、このＲＡＭは、単一ポート又は複数ポートのＲＡＭ、又は任意の他の適切な種類のＲＡＭ若しくはメモリであっても良い。メモリ２１３、２２３、２３３は、適切な場合にはそれぞれ１又は複数のメモリ２１３、２２３、２３３を有しても良い。メモリ２１３、２２３、２３３は、コンピュータ可読媒体に埋め込まれたソフトウェア、及び／又はハードウェアに組み込まれた若しくは他の格納されたエンコードされたロジック（例えば、ファームウェア）を含む、送信サイト１０８ａ、送信サイト１０８ｂ、又はエンドポイント１４０により利用される任意の適切なデータ若しくは情報を格納しても良い。特定の実施形態では、メモリ２１３、２２３、２３３は、それぞれプロセッサ２１１、２２１、２３１が実行するための命令、又はプロセッサ２１１、２２１、２３１が操作するためのデータを格納するメインメモリを有しても良い。特定の実施形態では、１又は複数のメモリ管理ユニット（ＭＭＵ）は、それぞれプロセッサ２１１、２２１、２３１とメモリ２１３、２２３、２３３との間に存在し、それぞれプロセッサ２１１、２２１、２３１により要求されるメモリ２１３、２２３、２３３へのアクセスを実現する。
【００４４】
一例として限定ではなく、通信機１２０、制御ユニット１１０又は無線ユーザエンドポイント１４０は、それぞれ記憶装置２１５、２２５、２３５又は別のソース（例えば、別のコンピュータシステム、別の基地局、又は遠隔送信サイト）からそれぞれメモリ２１３、２２３、２３３に命令をロードしても良い。プロセッサ２１１、２２１、２３１は、次に、それぞれメモリ２１３、２２３、２３３から内部レジスタ又は内部キャッシュに命令をロードしてもよい。命令を実行するために、プロセッサ２１１、２２１、２３１は、内部レジスタ又は内部キャッシュから命令を読み出し、それらをデコードしても良い。命令の実行中又は実行後、プロセッサ２１１、２２１、２３１は、１又は複数の結果（中間結果又は最終結果であってもよい）を内部レジスタ又は内部キャッシュに書き込んでも良い。次に、プロセッサ２１１、２２１、２３１は、これらの結果のうちの１又は複数をそれぞれメモリ２１３、２２３、２３３に書き込んでも良い。特定の実施形態では、プロセッサ２１１、２２１、２３１は、（それぞれ記憶装置２１５、２２５、２３５又は別の場所ではなく）１又は複数の内部レジスタ又は内部キャッシュ内の又はそれぞれメモリ２１５、２２５、２３５内の命令のみを実行し、（それぞれ記憶装置２１５、２２５、２３５又は別の場所ではなく）１又は複数の内部レジスタ又は内部キャッシュ内の又はそれぞれメモリ２１５、２２５、２３５内のデータのみを操作する。
【００４５】
特定の実施形態では、記憶装置２１５、２２５、２３５は、データ又は命令のために大容量記憶装置を有しても良い。例として且つ限定ではなく、記憶装置２１５、２２５、２３５は、ＨＤＤ、フロッピー(登録商標)ディスクドライブ、フラッシュメモリ、光ディスク、光磁気ディスク、磁気テープ、又はＵＳＢ（Universal  Serial  Bus）ドライブ又はこれらの２以上の組合せを有しても良い。記憶装置２１５、２２５、２３５は、適切な場合には、リムーバブル又は非リムーバブル（若しくは固定）媒体を有しても良い。記憶装置２１５、２２５、２３５は、適切な場合には、送信サイトの内部又は外部にあっても良い。特定の実施形態では、記憶装置２１５、２２５、２３５は不揮発性の固体メモリであっても良い。特定の実施形態では、記憶装置２１５、２２５、２３５はＲＯＭ（read-only  memory）であっても良い。適切な場合には、このＲＯＭは、マスクプログラムＲＯＭ、プロブラマブルＲＯＭ（ＰＲＯＭ）、消去可能なＰＲＯＭ（ＥＰＲＯＭ）、電気的に消去可能なＰＲＯＭ（ＥＥＰＲＯＭ）、電気的に消去再書き込み可能なＲＯＭ（ＥＡＲＯＭ）若しくはフラッシュメモリ又はこれらの２以上の組み合わせであってもよい。記憶装置２１５、２２５、２３５は、任意の適切な物理的形態をとっても良く、任意の適切な数の若しくは種類の記憶装置を有しても良い。記憶装置２１５、２２５、２３５は、適切な場合には、それぞれプロセッサ２１１、２２１、２３１とそれぞれ記憶装置２１５、２２５、２３５との間の通信を実現する１又は複数の記憶装置制御ユニットを有しても良い。
【００４６】
特定の実施形態では、インタフェース２１７、２２７、２３７は、送信サイト１０８、エンドポイント１４０、任意のネットワーク、任意のネットワーク装置、及び／又は任意の他のコンピュータシステムとの間の通信（例えば、パケットに基づく通信）のための１又は複数のインタフェースを提供するハードウェア、エンコードされたソフトウェア、又はその両者を有しても良い。例として且つ限定的でなく、通信インタフェース２１７、２２７、２３７は、イーサネット(登録商標)又は他の有線ネットワークと通信するためのネットワークインタフェース制御部（ＮＩＣ）若しくはネットワークアダプタ、及び／又は無線ネットワークと通信するための無線ＮＩＣ（ＷＮＩＣ）若しくは無線アダプタを有してもよい。
【００４７】
幾つかの実施形態では、インタフェース２１７は、１又は複数のアンテナポート１１６に結合された１又は複数の無線通信機を有する。このような実施形態では、インタフェース２１７は、無線接続を介してエンドポイント１４０のような無線装置へ送出されるべきデジタルデータを（例えば、接続１０４を介して制御ユニット１１０から）受信する。無線通信機は、デジタルデータを適切な中心周波数、帯域幅パラメータ、及び送信電力を有する無線信号に変換してもよい。同様に、無線通信機は、１又は複数の受信アンテナを介して受信した無線信号を例えばプロセッサ２１１により処理されるべきデジタルデータに変換し、及び／又は例えばプロセッサ２１１により処理されるために制御ユニット１１０へ転送しても良い。エンドポイント１４０のインタフェース２３７は、プロセッサ２３１及びアンテナポート１１８を介して同様の動作を実行するよう構成されても良い。
【００４８】
実施形態に依存して、インタフェース２１７、２２７、２３７は、アンテナシステム２００が用いられる任意の種類のネットワークに適する任意の種類のインタフェースであっても良い。例として且つ限定ではなく、アンテナシステム２００は、アドホックネットワーク、ＰＡＮ（personal  area  network）、ＬＡＮ（local  area  network）、ＷＡＮ（wide  area  network）、ＭＡＮ（metropolitan  area  network）、又はインターネットの１又は複数の部分、又はこれらの２以上の組合せと通信しても良い。１又は複数のこれらのネットワークの１又は複数の部分は、有線又は無線であっても良い。例として、アンテナシステム２００は、無線ＰＡＮ（ＷＰＡＮ）（例えばＢｌｕｅｔｏｏｔｈ(登録商標)  ＷＰＡＮのような）、ＷＩ−ＦＩネットワーク、Ｗｉ−ＭＡＸネットワーク、ＬＴＥネットワーク、ＬＴＥ−Ａネットワーク、携帯電話網（例えば、移動通信網（Global  System  for  Mobile  Communications：ＧＳＭ(登録商標)）のような）、又は任意の他の適切な無線ネットワーク又はこれらの２つ以上の組み合わせと通信しても良い。通信機１２０、制御ユニット１１０及び無線ユーザエンドポイント１４０は、適切な場合には、これらのネットワークのうちの任意の１又は複数のために、それぞれ任意の適切なインタフェース２１７、２２７、２３７を有しても良い。
【００４９】
幾つかの実施形態では、インタフェース２１７、２２７、２３７は、１又は複数のＩ／Ｏ装置のための１又は複数のインタフェースを有しても良い。これらのＩ／Ｏ装置のうちの１又は複数は、個人と通信機１２０、制御ユニット１１０又は無線ユーザエンドポイント１４０との間の通信を可能にしても良い。例として且つ限定的でなく、Ｉ／Ｏ装置は、キーボード、キーパッド、マイクロホン、モニタ、マウス、プリンタ、スピーカ、カメラ、スタイラス、タブレット、タッチスクリーン、トラックボール、ビデオカメラ、他の適切なＩ／Ｏ装置又はこれらの２つ以上の組み合わせを有しても良い。Ｉ／Ｏ装置は、１又は複数のセンサを有しても良い。特定の実施形態は、任意の適切な種類の及び／又は数のＩ／Ｏ装置、及びそれらＩ／Ｏ装置ための任意の適切な種類及び／又は数のインタフェース２１７、２２７、２３７を有しても良い。適切な場合には、インタフェース２１７、２２７、２３７は、それぞれプロセッサ２１１、２２１、２３１にこれらＩ／Ｏ装置のうちの１又は複数を駆動させる１又は複数のドライバを有しても良い。インタフェース２１７、２２７、２３７は、適切な場合にはそれぞれ１又は複数のインタフェース２１７、２２７、２３７を有しても良い。
【００５０】
バス２１２、２２２、２３２は、送信サイト１０８の又はエンドポイント１４０の構成要素を互いに結合するために、ハードウェア、コンピュータ可読媒体に埋め込まれたソフトウェア、及び／又はハードウェアに組み込まれた若しくは他の格納されたエンコードされたロジック（例えば、ファームウェア）の任意の組合せを有しても良い。例として且つ限定的でなく、バス２１２は、ＡＧＰ（Accelerated  Graphics  Port）又は他のグラフィック・バス、ＥＩＳＡ（Enhanced  Industry  Standard  Architecture）バス、ＦＳＢ（front-side  bus）、HYPERTRANSPORT(HT)相互接続、ＩＳＡ（Industry  Standard  Architecture）バス、INFINIBAND相互接続、ＬＰＣ（low-pin-count）バス、メモリバス、ＭＣＡ（Micro  Channel  Architecture）バス、ＰＣＩ（Peripheral  Component  Interconnect）バス、PCI-Express（PCI-Ｘ）バス、ＳＡＴＡ（serial  advanced  technology  attachment）バス、ＶＬＢ（Video  Electronics  Standards  Association  local）バス若しくは任意の他の適切なバス又はこれらの２つ以上の組み合わせを有しても良い。バス２１２、２２２、２３２は、適切な場合には、任意の数、種類及び／又は構成のバス２１２、２２２、２３２を有しても良い。特定の実施形態では、（それぞれアドレスバスとデータバスとを有しても良い）１又は複数のバス２１２、２２２、２３２は、それぞれプロセッサ２１１、２２１、２３１をそれぞれメモリ２１３、２２３、２３３に結合しても良い。バス２１２、２２２、２３２は、１又は複数のメモリバスを有しても良い。
【００５１】
ここで、コンピュータ可読記憶媒体という表現は、１又は複数の有形のコンピュータ可読記憶媒体処理構造を包含する。例として且つ限定ではなく、コンピュータ可読記憶媒体は、適切な場合には、半導体に基づく又は他の集積回路（ＩＣ）（例えば、ＦＰＧＡ（field-programmable  gate  array）又はＡＳＩＣ（application-specific  IC））、ハードディスク、ＨＤＤ、ＨＨＤ（hybrid  hard  drive）、光ディスク、光ディスクドライブ（ＯＤＤ）、光磁気ディスク、光磁気ドライブ、フロッピーディスク、フロッピーディスクドライブ（ＦＤＤ）、磁気テープ、ホログラフィック記憶媒体、固体ドライブ（ＳＳＤ）、ＲＡＭドライブ、ＳＥＣＵＲＥ  ＤＩＧＩＴＡＬカード、ＳＥＣＵＲＥ  ＤＩＧＩＴＡＬドライブ、フラッシュメモリカード、フラッシュメモリドライブ、若しくは任意の他の適切な有形コンピュータ可読記憶媒体、又はこれらの２つ以上の組み合わせを有しても良い。
【００５２】
特定の実施形態は、任意の適切な記憶装置を実装する１又は複数のコンピュータ可読記憶媒体を包含し得る。特定の実施形態では、適切な場合には、コンピュータ可読記憶媒体は、１又は複数のプロセッサ２１１、２２１、２３１（例えば、１又は複数の内部レジスタ又はキャッシュのような）、メモリ２１３、２２３、２３３の１又は複数の部分、記憶装置２１５、２２５、２３５の１又は複数の部分、又はこれらの組み合わせを実装する。特定の実施形態では、コンピュータ可読記憶媒体はＲＡＭ又はＲＯＭを実装する。特定の実施形態では、コンピュータ可読記憶媒体は揮発性又は永久メモリを実装する。特定の実施形態では、１又は複数のコンピュータ可読記憶媒体は、エンコードされたソフトウェアを統合する。
【００５３】
ここで、エンコードされたソフトウェアという表現は、適切な場合には、コンピュータ可読記憶媒体に格納又はエンコードされた１又は複数のアプリケーション、バイトコード、１又は複数のプログラム、１又は複数の実行ファイル、１又は複数の命令、ロジック、機械コード、１又は複数のスクリプト、又はソースコードを包含し、及び逆も同様である。特定の実施形態では、エンコードされたソフトウェアは、コンピュータ可読記憶媒体に格納又はエンコードされた１又は複数のＡＰＩ（application  programming  interface）を包含する。特定の実施形態は、任意の適切な種類若しくは数のコンピュータ可読記憶媒体に格納され又はエンコードされた、任意の適切なプログラミング言語若しくはプログラミング言語の組合せで記述され若しくは表現された任意の適切なエンコードされたソフトウェアを用いても良い。特定の実施形態では、エンコードされたソフトウェアは、ソースコード又はオブジェクトコードとして表現されても良い。特定の実施形態では、エンコードされたソフトウェアは、例えば、Ｃ、Ｐｅｒｌ又はそれらの適切な拡張のようなハイレベルプログラム言語で表現される。特定の実施形態では、エンコードされたソフトウェアは、アセンブラ言語（若しくは機械コード）のようなローレベルプログラム言語で表現される。特定の実施形態では、エンコードされたソフトウェアは、ＪＡＶＡ(登録商標)で表現される。特定の実施形態では、エンコードされたソフトウェアは、ＨＴＭＬ（Hyper  Text  Markup  Language）、ＸＭＬ（Extensible  Markup  Language）又は他の適切なマークアップ言語で表現される。
【００５４】
したがって、通信機１２０、制御ユニット１１０及び無線ユーザエンドポイント１４０の上述の構成要素は、通信機１２０、制御ユニット１１０及び無線ユーザエンドポイント１４０が本開示による動的サービスクラスタリングのような動作を実行することを可能にし得る。
【００５５】
本開示の範囲から逸脱することなく図２に対し変更、追加又は省略が行われても良い。例えば、本願明細書に記載のオプション又は特徴のうちの任意のものは、図１、２に示した実施形態と組み合わせて使用され、及び／又は本願明細書に記載の任意の数の他のオプション又は特徴も、当業者に理解される。
【００５６】
図３は、無線ユーザエンドポイントに無線通信サービスを提供するために通信機を選択する例示的な方法３００を示す。方法３００の１又は複数のステップは、任意の適切なシステム、機器、又は装置を用いて実行されても良い。例えば、方法３００の１又は複数のステップは、図１、２に関連して上述した制御ユニット１１０、通信機１２０、及び無線ユーザエンドポイント１４０のうちの少なくとも１つにより実行されても良い。また、図３の説明を簡単にするために、方法３００のステップは、制御ユニット１１０、通信機１２０、及び無線ユーザエンドポイント１４０により実行されるとして記載される。しかしながら、このような記載は単なる例であり、種々のステップが示される以外の異なる構成要素により実行されても良い。
【００５７】
方法３００は開始し、ステップ３０２で、分散型アンテナネットワークの範囲内の無線ユーザエンドポイント１４０は、分散型アンテナネットワークの１又は複数の通信機１２０から１又は複数の参照信号を受信しても良い。ステップ３０４で、無線ユーザエンドポイントは、１又は複数の受信した参照信号に関連付けられた１又は複数のチャネルを推定しても良い。ステップ３０６で、無線ユーザエンドポイント１４０は、ステップ３０４で実行したチャネル推定に基づき、無線通信のためのチャネルを選択しても良い。上述のように、通信機１２０は、同じグループ内の各通信機１２０が同じ参照信号を生成し送信するグループに編成されても良い。したがって、無線ユーザエンドポイント１４０から見ると、複数の同じ参照信号が同じチャネルに関連付けられ、選択されたチャネルは複数の通信機１２０を有しても良い。
【００５８】
ステップ３０９で、無線ユーザエンドポイント１４０は、選択したチャネルに基づき、参照信号を生成しても良い。例えば、上述のように、チャネル及びその対応する通信機１２０は、グループＩＤを有するグループに関連付けられても良い。したがって、ユーザエンドポイント１４０は、選択したチャネルに関連付けられたグループＩＤに基づき参照信号を生成しても良い。無線ユーザエンドポイント１４０は、図１に関連して上述したような種々の因子にも基づき参照信号を生成しても良い。ステップ３１０で、無線ユーザエンドポイント１４０は、自身の参照信号を送信しても良い。
【００５９】
ステップ３１２で、１又は複数の通信機１２０は、無線ユーザエンドポイント１４０により生成された参照信号を受信しても良い。ステップ３１４で、通信機１２０は、参照信号が個々の通信機１２０に関連付けられたグループＩＤに対応するか否かを決定しても良い。参照信号が通信機１２０に関連付けられたグループＩＤに対応する場合、通信機１２０は、参照信号及び／又は参照信号に関連付けられたデータを、通信機１２０に関連付けられた制御ユニット１１０へ転送しても良い。そして、方法３００はステップ３１６に進んでも良い。参照信号が通信機１２０に関連付けられたグループＩＤに対応しない場合、通信機１２０は、参照信号を無視しても良い。そして方法３００は終了しても良い。代替の実施形態では、通信機１２０は、参照信号に関連付けられたデータを、通信機１２０に関連付けられた制御ユニット１１０へ転送しても良い。制御ユニット１１０は、参照信号が個々の通信機１２０のグループＩＤに関連付けられているか否かを決定しても良い。
【００６０】
ステップ３１６で、制御ユニット１１０は、通信機１２０により受信された無線ユーザエンドポイント１４０からの参照信号に基づき、どの通信機１２０が無線ユーザエンドポイント１４０に無線通信サービスを提供し得るかを決定しても良い。例えば、上述したように、制御ユニット１１０は、無線ユーザエンドポイント１４０と無線ユーザエンドポイント１４０からの参照信号を受信する通信機１２０との間のチャネルを推定しても良い。チャネル推定に基づき、制御ユニット１１０は、どの通信機１２０が無線ユーザエンドポイント１４０に無線通信サービスを最適に提供し得るかを決定しても良い。ステップ３１８で、この決定に基づき、制御ユニット１１０は、無線ユーザエンドポイント１４０に無線通信サービスを提供し得る通信機１２０のグループ（又は「サービスクラスタ」）を選択しても良い。ステップ３１８に続いて、方法３００は終了する。
【００６１】
したがって、本開示の１又は複数の実施形態によると、方法３００は無線ユーザエンドポイント１４０により参照信号を生成するために用いられ、参照信号に基づき、無線ユーザエンドポイント１４０に無線通信サービスを提供するために通信機１２０のグループが選択されても良い。したがって、チャネル推定、及び無線ユーザエンドポイント１４０に無線通信サービスを提供し得る通信機１２０の選択の大部分は、無線ユーザエンドポイント側ではなく、ネットワーク側による。この構成は、無線ユーザエンドポイント１４０が異なる通信機１２０に関連付けられた多くの個々のチャネル推定を実行する必要がないので、無線ユーザエンドポイント１４０による電力消費を低減できる。このような構成は、高密度に分散された通信機１２０を有する分散型アンテナネットワークで特に有利である。
【００６２】
本開示の範囲から逸脱することなく方法３００に対し変更、追加又は省略が行われても良い。例えば、上述のように、異なる構成要素が明示的に記載した以外の異なる動作を実行しても良い。さらに、各ステップの動作の順序は記載されたものから変化しても良い。さらに、各ステップは、特に記載されたもの以外の複数の他のステップを有しても良い。
【００６３】
多くの他の変更、代替、変形、選択、及び修正が当業者により解明され得る。また、特定の実施形態は、全てのこのような変更、代替、変形、選択、及び修正を添付の請求の範囲の精神及び範囲に包含するものとする。
【図１】
0005920481.tif 000002
【図２】
0005920481.tif 000003
【図３】
0005920481.tif 000004